(57)【特許請求の範囲】
【請求項１】
収納室内に収容された粉状又は短繊維状の擬似増毛材に噴射用ガスを噴射して該擬似増毛材を飛昇させ、飛昇させた該擬似増毛材に毛髪用液状化粧料組成物とともに新たに噴射用ガスを噴射し、該擬似増毛材を該毛髪用液状化粧料組成物とともに頭部に噴射することを特徴とする擬似増毛材の吹付け方法。
【請求項２】
粉状又は短繊維状の擬似増毛材を収納する収納室６と、第１の噴射用ガスを充填する第１スプレー容器７と、毛髪用液状化粧料組成物及び第２の噴射用ガスを収納及び充填する第２スプレー容器８とを備えており、
上記第１スプレー容器７の備えるノズル部材に、上記第１の噴射用ガスを上記収納室６に導く導入ノズルが嵌着されているとともに、  上記第２スプレー容器８の備えるノズル部材に、上記第１の噴射用ガスが噴射されて飛昇された上記擬似増毛材に上記毛髪用液状化粧料組成物とともに上記第２の噴射用ガスを噴射して該擬似増毛材を吹き付ける噴射ノズルを具備する噴射ボタンが嵌着されていることを特徴とする擬似増毛材の吹付け装置。
【請求項３】
上記第１スプレー容器の上に上記第２スプレー容器が配されており、上記第２スプレー容器が下方に下がると上記第１スプレー容器の上記導入ノズルが押し下げられるように設けられている請求項２記載の擬似増毛材の吹付け装置。
【請求項４】
上記第１スプレー容器の上記導入ノズル及び上記第２スプレー容器の上記噴射ボタンをともに押し下げる操作部材を備えている請求項２記載の擬似増毛材の吹付け装置。
【請求項５】
粉状又は短繊維状の擬似増毛材を収納する収納室２５と、噴射用ガス及び毛髪用液状化粧料組成物を充填及び収納するスプレー容器２６とを備えており、上記スプレー容器２６の備えるノズル部材に同時に噴射可能な二つの管路が設けられ、該二つの管路にそれぞれ連通するように、上記噴射用ガス及び上記毛髪用液状化粧料組成物を上記収納室２５に導く導入ノズルと、該噴射ガス及び該毛髪用液状化粧料組成物の噴射によって飛昇させた上記擬似増毛材にさらに上記毛髪用液状化粧料組成物及び上記噴射用ガスを噴射する噴射ノズルを具備する噴射ボタンとが、上記ノズル部材に嵌着されていることを特徴とする擬似増毛材の吹付け装置。
【請求項６】
粉状又は短繊維状の擬似増毛材を収納する収納室２５と、第１の噴射用ガスが充填された第１スプレー容器２６’と、第２の噴射用ガス及び毛髪用液状化粧料組成物が充填及び収容されて該第１スプレー容器２６’内に配置された第２スプレー容器２６”とを備えており、上記第１スプレー容器２６’の備えるノズル部材に同時に噴射可能な二つの管路が設けられ、該管路の一方に連通し上記第１噴射用ガスを上記収納室に導く導入ノズルと、該管路の他方に連通し該第１の噴射用ガスの噴射によって飛昇させた上記擬似増毛材にさらに上記毛髪用液状化粧料組成物及び上記第２の噴射用ガスを噴射する噴射ノズルを具備する噴射ボタンとが、上記ノズル部材に嵌着されているとともに、上記他方の管路に連通するように上記ノズル部材の下端部に上記第２スプレー容器の備えるノズル部材が接続され、
上記収納室２５内に収納された上記擬似増毛材に上記第１の噴射用ガスを噴射して飛昇させるとともに飛昇させた該擬似増毛材に上記毛髪用液状化粧料組成物とともに上記第２の噴射用ガスを噴射して吹き付ける擬似増毛材の吹付け装置。
【請求項７】
請求項６に記載の擬似増毛材の吹付け装置において、上記第１スプレー容器に上記第１の噴射用ガスに代えて上記第２の噴射用ガス及び上記毛髪用液状化粧料組成物を充填及び収納するとともに、上記第２スプレー容器に上記第２の噴射用ガス及び上記毛髪用液状化粧料組成物に代えて上記第１の噴射用ガスを収容し、上記収納室内に収納された上記擬似増毛材を上記第１の噴射用ガスによって噴射させるとともに該第１の噴射用ガスによって噴射された該擬似増毛材を上記毛髪用液状化粧料組成物とともに上記第２の噴射用ガスによって噴射するように設けられている擬似増毛材の吹付け装置。
【請求項８】
上記収納室６（２５、又は４４）に上方に移動自在の底面部２５ａ’を設けたことを特徴とする請求項２ないし７のいずれかに記載の擬似増毛材の吹付け装置。
【請求項９】
請求項２ないし８のいずれかに記載の擬似増毛材の吹付け装置を用い、上記収容室内に収容された上記擬似増毛材を上記毛髪用液状化粧料組成物とともに頭部に噴射することを特徴とする擬似増毛材の吹付け方法。
【発明の詳細な説明】
【０００１】
【産業上の利用分野】
本発明は、頭部の局所的に毛髪の薄くなった部分を補う際に好適に用いることができる擬似増毛材の吹付け方法及び装置に関する。
【０００２】
【従来の技術及び発明が解決しようとする課題】
周知のように、頭部の局所的に毛髪の薄くなった部分を一時的に補う従来技術として、例えば、特公平６−２６６８４号公報に記載されているような方法（装置）が提案されている。この方法（装置）は、摩擦によって静電気を帯電させた擬似増毛材を、毛髪の薄くなった部分に吹付け、次いで、櫛やブラシ等でといて地毛に馴染ませるものである。
【０００３】
ところで、上記方法（装置）では、擬似増毛材は噴射し得るが、これと同時に液状の毛髪用液状化粧料組成物を噴射し得るものではない。
【０００４】
従って、本発明の目的は、液状の毛髪用液状化粧料組成物の噴射を擬似増毛材の噴射と同時に行い得るとともに、該擬似増毛材の地毛又は頭皮への付着力を向上させることができる、新規な擬似増毛材の吹付け方法及び装置を提供することにある。
【０００５】
【課題を解決するための手段】
本発明は、収容室内に収容された粉状又は短繊維状の擬似増毛材に噴射用ガスを噴射して該擬似増毛材を飛昇させ、飛昇させた該擬似増毛材に毛髪用液状化粧料組成物とともに新たに噴射用ガスを噴射し、該擬似増毛材を該毛髪用液状化粧料組成物とともに頭部に噴射することを特徴とする擬似増毛材の吹付け方法を提供することにより、上記目的を達成したものである。
【０００６】
また、本発明は、粉状又は短繊維状の擬似増毛材を収納する収納室と、第１の噴射用ガスを充填する第１スプレー容器と、毛髪用液状化粧料組成物及び第２の噴射用ガスを収納及び充填する第２スプレー容器とを備えており、上記第１スプレー容器の備えるノズル部材に、上記第１の噴射用ガスを上記収納室に導く導入ノズルが嵌着されているとともに、上記第２スプレー容器の備えるノズル部材に、上記第１の噴射用ガスが噴射されて飛昇された上記擬似増毛材に上記毛髪用液状化粧料組成物とともに上記第２の噴射用ガスを噴射して該擬似増毛材を吹き付ける噴射ノズルを具備する噴射ボタンが嵌着されていることを特徴とする擬似増毛材の吹付け装置を提供するものである。
【０００７】
また、本発明は、粉状又は短繊維状の擬似増毛材を収納する収納室と、噴射用ガス及び毛髪用液状化粧料組成物を充填及び収納するスプレー容器とを備えており、上記スプレー容器の備えるノズル部材に同時に噴射可能な二つの管路が設けられ、該二つの管路にそれぞれ連通するように、上記噴射用ガス及び上記毛髪用液状化粧料組成物を上記収納室に導く導入ノズルと、該噴射ガス及び該毛髪用液状化粧料組成物の噴射によって飛昇させた上記擬似増毛材にさらに上記毛髪用液状化粧料組成物及び上記噴射用ガスを噴射する噴射ノズルを具備する噴射ボタンとが、上記ノズル部材に嵌着されていることを特徴とする擬似増毛材の吹付け装置を提供するものである。
【０００８】
また、本発明は、粉状又は短繊維状の擬似増毛材を収納する収納室と、第１の噴射用ガスが充填された第１スプレー容器と、第２の噴射用ガス及び毛髪用液状化粧料組成物が充填及び収容されて該第１スプレー容器内に配置された第２スプレー容器とを備えており、上記第１スプレー容器の備えるノズル部材に同時に噴射可能な二つの管路が設けられ、該管路の一方に連通し上記第１の噴射用ガスを上記収納室に導く導入ノズルと、該管路の他方に連通し該第１の噴射用ガスの噴射によって飛昇させた上記擬似増毛材にさらに上記毛髪用液状化粧料組成物及び上記第２の噴射用ガスを噴射する噴射ノズルを具備する噴射ボタンとが、上記ノズル部材に嵌着されているとともに、上記他方の管路に連通するように上記ノズル部材の下端部に上記第２スプレー容器の備えるノズル部材が接続され、上記収納室内に収納された上記擬似増毛材に上記第１の噴射用ガスを噴射して飛昇させるとともに飛昇させた該擬似増毛材に上記毛髪用液状化粧料組成物とともに上記第２の噴射用ガスを噴射して吹き付ける擬似増毛材の吹付け装置を提供するものである。
また、本発明は、上記擬似増毛材の吹付け装置において、上記第１スプレー容器に上記第１の噴射用ガスに代えて上記第２の噴射用ガス及び上記毛髪用液状化粧料組成物を充填及び収納するとともに、上記第２スプレー容器に上記第２の噴射用ガス及び上記毛髪用液状化粧料組成物に代えて上記第１の噴射用ガスを収容し、上記収納室内に収納された上記擬似増毛材を上記第１の噴射用ガスによって噴射させるとともに該第１の噴射用ガスによって噴射された該擬似増毛材を上記毛髪用液状化粧料組成物とともに上記第２の噴射用ガスによって噴射するように設けられている擬似増毛材の吹付け装置を提供するものである。
【０００９】
また、本発明は、上記何れかの擬似増毛材の吹付け装置を用い、上記収容室内に収容された上記擬似増毛材を上記毛髪用液状化粧料組成物とともに頭部に噴射することを特徴とする擬似増毛材の吹付け方法を提供するものである。
【００１５】
【実施例】
以下、本発明の実施例を添付図面を参照しながら詳細に説明する。
【００１６】
図１〜図３は、本発明に係る擬似増毛材の吹付け装置の第１実施例を示したものである。図において、符号１は、擬似増毛材の吹付け装置（以下、「吹付け装置」という）を示している。
【００１７】
図１に示したように、上記吹付け装置１は、有底筒状の下部ケース体２と、この下部ケース体２の上方に仕切り板部材３を介して配設された筒状の上部ケース体４から構成されるケース体５内に、粉状又は短繊維状の擬似増毛材を収納する擬似増毛材収納室（収納室）６と、この擬似増毛材収納室６内に収納された擬似増毛材を噴射する噴射用ガスを充填するスプレー容器（第１スプレー容器）７と、毛髪用液状化粧料組成物及び噴射された擬似増毛材を該毛髪用液状化粧料組成物とともに噴射する噴射用ガスを収納及び充填するスプレー容器（第２スプレー容器）８とを備えた概略構成とされている。
【００１８】
上記下部ケース体２の内部には、平面視して略三日月形状の空間を有する上記擬似増毛材収納室６と、平面視して略円形状の空間を有するスプレー容器収容室９とに区切る仕切り壁部１０が形成されている。
【００１９】
上記下部ケース体２の上端部には、その上端開口部を覆うように上記仕切り部材３が嵌着されている。この仕切り部材３の水平板部３ａには、上記擬似増毛材収納室６の平断面形状に対応した形状の連通孔３ｂが形成されるとともに、この連通孔３ｂを囲繞するように上下に伸びる連通壁部３ｃが形成されている。また、上記水平板部３ａには、上記スプレー容器収容室９と軸芯を略等しくする平面視して略円形状の挿通孔３ｄが形成されている。そして、上記スプレー容器収容室９内に後述するスプレー容器７を収容したときに、そのノズル部材７ａが上記水平板部３ａより上方に突出するようになしてある。
【００２０】
上記スプレー容器７は、上端部にスプリング（図示せず）を介して配設されたノズル部材７ａを押し下げることによって、内部に充填された噴射用ガスを噴射することができる従来公知のスプレー容器を主体として構成されている。上記ノズル部材７ａの上端部には、内部に互いに連通する垂直管路７ｂ及び水平管路７ｃを有し上記噴射用ガスを上記擬似増毛材収納室６内に導く導入ノズル７ｄが嵌着されており、さらに、この導入ノズル７ｄの可繞性を有する水平管部７ｅの先端部には、上記擬似増毛材収納室６の略中央部において噴射用ガスを下方に噴射し得るように折曲形成された噴射ノズル７ｆが取り付けられている。なお、この導入ノズル７ｄの基部の上端部には、後述するスプレー容器８を下方より受ける受け皿７ｇが嵌着されている。ここで、上記ノズル部材７ａ、導入ノズル７ｄ及び受け皿７ｇは、噴射機構７０（第１の噴射機構）を構成している。
【００２１】
一方、上記上部ケース体４は、その下端部が、上記仕切り部材３に嵌着されており、その内部には、図２に示すように、平面視して略三日月形状の空間を有する擬似増毛材飛昇室１１と、平面視して略円形状の空間を有するスプレー容器収容室１２とに区切る仕切り壁部１３が形成されている（図２参照）。
【００２２】
上記上部ケース体４の天板部４ａの周縁部であって、上記繊維パウダー飛昇室１１の上方に位置する部位には、当該繊維パウダー飛昇室１１に連通するように内部が中空に形成された平面視してほぼ三日月状の起立壁部４ｂが、上部ケース体４に一体的に形成されている。また、この起立壁部４ｂの周方向の略中央部には、当該起立壁部４ｂを水平（前後）に貫く挿入孔４ｃが形成されており、この挿入孔４ｃには、吐出管路１４を形成する筒状部材１５が挿嵌されている（図１及び図３参照）。また、上記天板部４ａには、上記スプレー容器収容室１２と軸芯を略等しくする平面視略円形状の挿通孔４ｄが形成されており、上記スプレー容器収容室１２内に後述するスプレー容器８を収容したときに、そのノズル部材８ａが上記天板部４ａより上方に突出するようになしてある。
【００２３】
上記筒状部材１５の奥面部１５ａには、水平方向の孔１５ｂが形成されており、また、周壁部１５ｃには、上記擬似増毛材飛昇室１１内を飛昇してきた擬似増毛材を吐出管路１４内に導くための案内孔１５ｄが互いに対向するように複数形成されている。
【００２４】
上記スプレー容器８は、基本的には、上記噴射用スプレー７と同様の構成を有しており、上端部にスプリング（図示せず）を介して配設されたノズル部材８ａを押し下げることによって、内部に充填された毛髪用液状化粧料組成物をガス圧によって噴射することができる従来公知のスプレー容器を主体として構成されている。
【００２５】
上記ノズル部材８ａの上端部には、内部に互いに連通する垂直管路及び水平管路（ともに図示せず）を有する噴射ボタン８ｂが嵌着されている。また、この噴射ボタン８ｂには、上記図示しない水平管路に通じる噴射孔（図示せず）を有する噴射ノズル８ｄが装着されており、上記筒状部材１５の案内孔１５ｄを通じて吐出管路１４内に導かれた擬似増毛材を毛髪用液状化粧料組成物とともに頭部に噴射し得るようになしてある。ここで、上記ノズル部材８ａ、及び噴射ボタン８ｂは噴射機構（第２の噴射機構）８０を構成している。
【００２６】
本実施例では、上記スプレー容器８のノズル部材８ａの押し下げ圧力は、上記スプレー容器７のノズル部材７ａの押し下げ圧力よりも高く設定されており、上記噴射用スプレー７のノズル部材７ａがフルストローク押し下げられた状態で、さらに噴射ボタン８ｂを押し続けると当該スプレー容器８のノズル部材８ａが押し下げられるようになしてある。なお、これらノズル部材７ａ、８ａの押し下げ圧力及び遊びは、噴射用ガスの種類若しくは充填圧力、毛髪用液状化粧料組成物の種類若しくは充填圧力、又は擬似増毛材の種類若しくは寸法形状等に応じて設定することができる。そして、この設定具合によっては、予め適量の毛髪用液状化粧料組成物を頭部に噴射し、その後上記擬似増毛材を毛髪用液状化粧料組成物とともに頭部に吹き付けることで、擬似増毛材の頭部への吹付け具合を調節することもできる。
【００２７】
次に、本発明に係る上記擬似増毛材の吹付け方法の手順を、上記吹付け装置１の作用とともに説明する。
【００２８】
まず、上記擬似増毛材収納室６、上記スプレー容器７及びスプレー容器８内に、擬似増毛材、噴射用ガス及び毛髪用液状化粧料組成物を収納または充填しておく。
【００２９】
そして、ケース体５を手で握った状態で、鏡等で確認しながら、頭部の擬似増毛材を吹付けたい部分に上記筒状部材１５の開口部を向け、上記噴射ボタン８ｂを下方に押圧する。
【００３０】
このようにして噴射ボタン８ｂを押圧すると、スプレー容器８自身が下方に下がり、これに伴って、上記受け皿７ｇを介して上記導入ノズル７ｄが押し下げられ、さらにノズル部材７ａが押し下げられる。そして、内部に充填された噴射用ガスが、上記導入ノズル７ｄ及び噴射ノズル７ｆを通じて擬似増毛材収納室６内に噴射される。
【００３１】
擬似増毛材収納室６内に上記噴射用ガスが噴射されると、この噴射用ガスの噴射圧力によって擬似増毛材が上方に舞上がり、さらに上記擬似増毛材飛昇室１１に飛昇する。この際、擬似増毛材収納室６又は擬似増毛材飛昇室１１内では、擬似増毛材どうしが激しく接触し、その接触摩擦によって生じた静電気が当該擬似増毛材に帯電する。そして、さらに上方に飛昇し、上記筒状部材１５の案内孔１５ｄを通じて上記吐出管路１４内に噴射される。
【００３２】
さらに、上記噴射ボタン８ｂを押し続けて、上記スプレー容器８のノズル部材８ａを押し下げると、スプレー容器８内に充填された毛髪用液状化粧料組成物が当該噴射ボタン８ｂに装着された噴射ノズル８ｄを通じて吐出管路１４内に噴射される。そして、上記吐出管路１４内に噴射された擬似増毛材はこの毛髪用液状化粧料組成物とともに頭部に噴射される。噴射された擬似増毛材は、上記の静電気の帯電による付着力に加えて、上記毛髪用液状化粧料組成物によっても地毛又は頭皮への付着力が付与される。
【００３３】
このように、本実施例に係る吹付け装置１によれば、上記噴射ボタン８ｂを押すだけで簡単に毛髪用液状化粧料組成物の噴射を擬似増毛材の噴射と同時に行うことができる。また、毛髪用液状化粧料組成物の塗布と擬似増毛材の噴射とを同時に行い得るので、擬似増毛材の地毛又は頭皮への付着力を向上させることができるとともに、吹付け可能な擬似増毛材の長さ範囲を従来に比べて広くすることができる。
【００３４】
また、スプレー容器７、８、及び擬似増毛材収納室６をケース体５内に配設するようにしたので、噴射用ガス、毛髪用液状化粧料組成物又は擬似増毛材を使い切った場合にも、ケース体５を分解することで簡単に交換・補充することができる。
【００３５】
図４〜図６は、本発明に係る擬似増毛材の吹付け装置の第２実施例を示したものである。図において、符号２０は、擬似増毛材の吹付け装置（以下、「吹付け装置」という）を示している。
【００３６】
図４に示したように、上記吹付け装置２０は、有底筒状のケース本体２１と、このケース本体２１の上方に仕切り部材２２を介して配設された蓋体２３とから構成されるケース体２４内に、擬似増毛材を収納する擬似増毛材収納室（収納室）２５と、この擬似増毛材収納室２５内に収納された擬似増毛材を噴射する噴射用ガス及び毛髪用液状化粧料組成物を充填及び収納するスプレー容器２６とを備えた概略構成とされている。
【００３７】
上記ケース本体２１の内部には、平面視して略三日月状の空間を有する上記擬似増毛材収納室２５と、平面視して略円形状の空間を有するスプレー容器収容室２７とに区切る仕切り壁部２１ａが形成されている（図４（ｂ）参照）。
【００３８】
図６に示したように、上記仕切り部材２２の水平板部２２ａには、上記擬似増毛材収納室２５の平断面形状に対応した形状の連通孔２２ｂが形成されるとともに、この連通孔２２ｂを囲繞するように上下に伸びる連通壁部２２ｃが形成されている。また、上記水平板部２２ａには、上記スプレー容器収容室２７と軸芯を略等しくする平面視して略円形状の挿通孔２２ｄが形成されている。そして、上記スプレー容器収容室２７内に後述するスプレー容器２６を収容したときに、そのノズル部材２６ａが当該水平板部２２ａより上方に突出するようになしてある。
【００３９】
上記スプレー容器２６は、ノズル部材２６ａを押し下げることによって、内部に充填された噴射用ガス及び毛髪用液状化粧料組成物を噴射することができるスプレー容器を主体として構成されている。
【００４０】
上記ノズル部材２６ａは、当該ノズル部材２６ａの上下動によって、容器内に充填された噴射用ガスと液状の毛髪用液状化粧料組成物とを同時に噴射し得るように、噴射管路２６ｂ、２６ｃを備えている。
上記噴射管路２６ｂ、２６ｃを形成する二重の筒状壁部の上端部には、上記噴射管路２６ｃに連通する水平管路２８ａと、上記噴射管路２６ｂに連通する垂直管路２８ｂとを有する導入ノズル２８が嵌着されている。そして、上記噴射用ガスを上記擬似増毛材収納室２５に導くとともに、毛髪用液状化粧料組成物を後述する噴射ボタン２９の管路２９ａに導くようになしてある。この導入ノズル２８の可繞性を有する水平管部２８ｃの先端部には、上記擬似増毛材収納室２５の略中央部において噴射用ガスを下方に噴射し得るように折曲形成された噴射ノズル２８ｄが取り付けられている。
【００４１】
上記蓋体２３の天板部２３ａの周縁部であって、上擬似増毛材収納室２５の上方に位置する部位には、当該擬似増毛材収納室２５に連通するように内部が中空に形成された平面視してほぼ三日月状の起立壁部３０が、当該蓋体２３に一体的に形成されている。また、この起立壁部３０には、当該起立壁部３０を水平（前後）に貫く挿入孔３０ａが形成されており、この挿入孔３０ａには、吐出管路３１を形成する筒状部材３２が挿嵌されている（図５及び図６参照）。さらに、上記天板部２３ａには、上記スプレー容器収容室２７と軸芯を略等しくする平面視して略円形状の挿通孔２３ｂが形成されており、上記スプレー容器収容室２７内に後述するスプレー容器２６を収容したときに、その導入ノズル２８が上記天板部２３ａより上方に突出し得るとともに、後述する噴射ボタン２９の上下動が可能なようになしてある。
【００４２】
上記筒状部材３２の奥面部３２ａには、水平方向の孔３２ｂが形成されており、また、周壁部３２ｃには、上記擬似増毛材収納室２５内から飛昇してきた擬似増毛材を吐出管路３１内に導くための案内孔３２ｄが互いに対向するように複数形成されている。
【００４３】
上記導入ノズル２８の上端部には、内部に互いに連通する垂直管路２９ａ及び水平管路２９ｂを有する噴射ボタン２９が嵌着されている。また、この噴射ボタン２９の前方部には、上記水平管路２９ｂに通じる塗布孔（図示せず）を有する噴射ノズル２９ｃが、上記筒状部材３２の水平方向の孔３２ｂを通して外部を（前方を）望むように装着されている。そして、上記筒状部材３２の案内孔３２ｄを通じて吐出管路３１内に導かれた擬似増毛材を毛髪用液状化粧料組成物とともに頭部に塗布し得るようになしてある。ここで、上記ノズル部材２６ａ、導入ノズル２８及び噴射ボタン２９は、噴射機構２６０を構成している。
【００４４】
上記吹付け装置２０においては、ケース体２４を手で握った状態で、鏡等で確認しながら、頭部の擬似増毛材を噴射したい部分に上記筒状部材３２の開口部を向け、上記噴射ボタン２９を下方に押圧すると、上記導入ノズル２８を介してノズル部材２６ａが押し下げられ、内部に充填された噴射用ガスは上記導入ノズル２８の水平管路２８ａを通じて擬似増毛材収納室２５内に噴射され、毛髪用液状化粧料組成物は垂直管路２８ｂを通じて噴射ボタン２９に導かれる。
【００４５】
擬似増毛材収納室２５内に上記噴射用ガスが噴射されると、この噴射用ガスの噴射圧力によって擬似増毛材が舞上がって上方に飛昇する。この際、擬似増毛材どうしが激しく接触し、その接触摩擦によって生じた静電気が当該擬似増毛材に帯電する。そして、さらに上方に飛昇し、上記筒状部材３２の案内孔３２ｄを通じて上記吐出管路３１内に噴射され、噴射ボタン２９の噴射ノズル２９ｃを通じて噴射された毛髪用液状化粧料組成物とともに頭部に噴射される。
【００４６】
塗布された擬似増毛材は、上記の静電気の帯電による付着力に加えて、上記毛髪用液状化粧料組成物による付着力によって、確実に地毛又は頭皮へ付着される。
【００４７】
このように、本実施例に係る吹付け装置２０によれば、上記スプレー容器２６によって、毛髪用液状化粧料組成物の塗布と擬似増毛材の噴射とを同時に行うようにしたので、上記第１実施例の吹付け装置１における効果に加えて、装置をコンパクトとすることができ、取り扱いをさらに容易することができる。
【００４８】
図７〜図１０は、本発明に係る擬似増毛材吹付け装置の第３実施例を示したものである。これらの図において、符号４０は、擬似増毛材の吹付け装置（以下、「吹付け装置」という）を示している。
【００４９】
図７に示したように、上記吹付け装置４０は、有底筒状のケース本体４１と、このケース本体４１の上端部に嵌着された蓋体４２とから構成されるケース体４３内に、擬似増毛材を収納する擬似増毛材収納室（収納室）４４と、この収納室内４４に収納された擬似増毛材を噴射する噴射用ガスを充填するスプレー容器（第１スプレー容器）４５と、毛髪用液状化粧料組成物及び噴射された擬似増毛材を該毛髪用液状化粧料組成物とともに噴射する噴射用ガスを収納及び充填するスプレー容器（第２スプレー容器）４６とを備えた概略構成とされている。
【００５０】
上記ケース本体４１の内部には、有底円筒状の収納容器４７が配設されており、この収納容器４７によって上記擬似増毛材収容室４４が形成されている。また、ケース本体４１の底壁部４１ａには、上記収納容器４７、スプレー容器４５及びスプレー容器４６をケース本体４１内に固定するための円筒状の固定壁部４１ｂ、４１ｃ及び４１ｄが形成されている。なお、上記固定壁部４１ｂ、４１ｃ及び４１ｄの配設位置は、これらを平面視したときに、それぞれの軸芯が当該ケース本体４１内において略正三角形の頂点を形成するように設定されている（図７（ａ）、図９（ａ）、図１０（ｂ）参照）。
【００５１】
また、上記ケース本体４１の上端部には、その上端開口部を覆うように蓋体４２が嵌着されており、この蓋体４２の天板部４２ａには、上記収納容器４７の平断面形状に対応した円形状の連通孔４２ｂが形成されている。この連通孔４２ｂには、後述する有頭筒状のノズルキャップ４８が嵌着されている。また、上記天板部４２ａには上記固定壁部４１ｃ、４１ｄの軸芯位置に対応した挿通孔４２ｃが形成されており、この挿通孔４２ｃに後述するスプレー容器４５の導入ノズル４５ｄと、スプレー容器４６の塗布ボタン４６ｄが挿通されるようになしてある。
【００５２】
上記ノズルキャップ４８の側壁部４８ａには、当該側壁部４８ａを水平（前後）に貫く挿入孔４８ｂが形成されており、この挿入孔４８ｂには、吐出管路４９を形成する筒状部材５０が挿嵌されている。この筒状部材５０の奥面部５０ａには、水平方向の孔５０ｂが形成されており、また、周壁部５０ｃには、上記擬似増毛材収納室４４内を飛昇してきた擬似増毛材を吐出管路４９内に導くための案内孔５０ｄが互いに対向するように複数形成されている。
【００５３】
図７に示したように、上記スプレー容器４５は、スプリング（図示せず）を介して配設されたノズル部材４５ａを押し下げることによって、内部に充填された噴射用ガスを噴射することができる従来公知のスプレー容器を主体として構成されている。上記ノズル部材４５ａの上端部には、内部に互いに連通する垂直管路４５ｂ及水平管路４５ｃを有し上記噴射用ガスを上記擬似増毛材収納室４４に導く導入ノズル４５ｄが嵌着されている。この導入ノズル４５ｄの可繞性を有する水平管部４５ｅの先端部は、上記収納容器４７内の略中央において噴射用ガスを下方に噴射し得るように折曲形成されており、その折曲部には噴射ノズル４５ｆが取り付けられている。ここで、上記ノズル部材４５ａ、導入ノズル４５ｄは、噴射機構（第１の噴射機構）４５０を構成している。
【００５４】
図９に示したように、上記スプレー容器４６は、基本的には、上記スプレー容器４５と同様の構成を有しており、上端部に配設されたノズル部材４６ａを押し下げることによって、内部に充填された毛髪用液状化粧料組成物をガス圧によって噴射することができる従来公知のスプレー容器を主体として構成されている。
【００５５】
上記ノズル部材４６ａの上端部には、内部に互いに連通する垂直管路４６ｂ及び水平管路４６ｃを有する噴射ボタン４６ｄが嵌着されており、この噴射ボタン４６ｄには、上記水平管路４６ｃに通じる噴射孔（図示せず）を有する噴射ノズル４６ｅが装着されている。ここで、上記ノズル部材４６ａ、噴射ボタン４６ｄは、噴射機構（第２の噴射機構）４６０を構成している。
【００５６】
さらに、上記噴射ノズル４５ｄ及び噴射ボタン４６ｄの上端部には、これらの同時押し下げを可能とする操作部材５１が嵌着されており、この操作部材５１を押し下げることによって上記吐出管路４９内に擬似増毛材を噴射するとともに、噴射された擬似増毛材を毛髪用液状化粧料組成物とともに頭部に噴射し得るようになしてある（図７〜図１０参照）。
【００５７】
上記吹付け装置４０においては、ケース体４３を手で握った状態で、鏡等で確認しながら、頭部の擬似増毛材を塗布したい部分に上記筒状部材５０の開口部を向け、上記操作部材５１を下方に押圧すると、上記噴射ノズル４５ｄ及び噴射ボタン４６ｄ介してノズル部材４５ａ及び４６ａが押し下げられ、内部に充填された噴射用ガスが上記導入ノズル４５ｄの水平管路４５ｃを通じて擬似増毛材収納室４４内に噴射され、毛髪用液状化粧料組成物は垂直管路４６ｂを通じて噴射ボタン４６ｄ内に導かれる。
【００５８】
一方、擬似増毛材収納室４４内に上記噴射用ガスが噴射されると、この噴射用ガスの噴射圧力によって擬似増毛材が舞上がって上方に飛昇する。この際、擬似増毛材どうしが激しく接触し、その接触摩擦によって生じた静電気が当該擬似増毛材に帯電する。そして、さらに上方に飛昇し、上記筒状部材５０の案内孔５０ｄを通じて上記吐出管路４９内に噴射される。
【００５９】
そして、毛髪用液状化粧料組成物とともに頭部に噴射される。噴射された擬似増毛材は、上記の静電気の帯電による付着力に加えて、上記毛髪用液状化粧料組成物による付着力によって、確実に地毛又は頭皮へ付着される。
【００６０】
このように、本実施例に係る吹付け装置４０によれば、上記操作部材５１を押し下げるだけで、上記第１実施例の吹付け装置１と同様に、簡単に毛髪用液状化粧料組成物の噴射とともに擬似増毛材の噴射を行うとができる。しかも毛髪用液状化粧料組成物との同時噴射によって、擬似増毛材の地毛又は頭皮への付着力を向上させることができるので、従来に比べて、長さの長い擬似増毛材を噴射することができる。
【００６１】
図１１は、本発明に係る擬似増毛材吹付け装置の第４実施例を示したものである。これらの図において、符号２０’は、擬似増毛材の吹付け装置（以下、「吹付け装置」という）を示している。なお、本第４実施例の吹付け装置は、後述する第２、第３の収納室が一部相違する点を除けば、基本的に上記第２実施例の吹付け装置２０と同一の構成を有しているので、以下の説明では、この相違点についてのみ説明し、上記第２実施例の吹付け装置２０と共通する部分については、同一符号を付しその説明を省略する。
【００６２】
図１１に示したように、上記吹付け装置２０’は、有底筒状のケース本体２１と、このケース本体２１の上方に仕切り部材２２を介して配設された蓋体２３とから構成されるケース体２４内に、擬似増毛材を収納する擬似増毛材収納室（収納室）２５と、この擬似増毛材収納室２５内に収納された擬似増毛材を噴射する第１の噴射用ガスを充填するスプレー容器（第１スプレー容器）２６’と、該スプレー容器２６’内に配置され、上記毛髪用液状化粧料組成物及び第２の噴射用ガスを収納及び充填するスプレー容器（第２スプレー容器）２６”とを備えた概略構成とされている。
【００６３】
上記スプレー容器２６’は、ノズル部材２６ａを押し下げることによって、内部に充填された第１の噴射用ガス、並びに第２の噴射用ガス及び毛髪用液状化粧料組成物を噴射することができるスプレー容器を主体として構成されている。
【００６４】
上記ノズル部材２６ａは、当該ノズル部材２６ａの上下動によって、スプレー容器２６’及び２６”内に充填された第１の噴射用ガス、並びに第２の噴射用ガス及び毛髪用液状化粧料組成物とを同時に噴射し得るように、噴射管路２６ｂ及び２６ｃを備えている。
【００６５】
上記ノズル部材２６ａの下方には、筒状の連結部材２６ｄが配設されており、この連結部材２６ｄの下端部に、上記スプレー容器２６”のノズル部材２６ｅの先端部が嵌着されている。そして、このノズル部材２６ｅ及び連結部材２６ｄを通じて、スプレー容器２６”内に充填及び収納された第２の噴射用ガス及び毛髪用液状化粧料組成物が、ノズル部材２６ａ内に導かれるようになしてある。
【００６６】
上記スプレー容器２６”は、常態において、その底部が上記スプレー容器２６’の底部に当接するように配置されている。また、スプレー容器２６”の上記ノズル部材２６ｅは、常態において開放状態にあり、その密閉性は、上記スプレー容器２６’のノズル部材２６ａによって確保されるようになしてある。ここで、上記ノズル部材２６ａ、２６ｅ、導入ノズル２８、噴射ボタン２９及び連結部材２６ｄは、噴射機構２６０’を構成している。
【００６７】
上記吹付け装置２０’においては、ケース体２４を手で握った状態で、鏡等で確認しながら、頭部の擬似増毛材を噴射したい部分に上記筒状部材３２の開口部を向け、上記噴射ボタン２９を下方に押圧すると、上記導入ノズル２８を介してノズル部材２６ａが押し下げられ、スプレー容器２６’内に充填された第１の噴射用ガスは上記導入ノズル２８の水平管路２８ａを通じて擬似増毛材収納室２５内に噴射され、スプレー容器２６”に充填及び収納された第２の噴射用ガス及び毛髪用液状化粧料組成物は垂直管路２８ｂを通じて噴射ボタン２９内に導かれる。
【００６８】
擬似増毛材収納室２５内に上記噴射用ガスが噴射されると、この噴射用ガスの噴射圧力によって擬似増毛材が舞上がって上方に飛昇する。この際、擬似増毛材どうしが激しく接触し、その接触摩擦によって生じた静電気が当該擬似増毛材に帯電する。そして、さらに上方に飛昇し、上記筒状部材３２の案内孔３２ｄを通じて上記吐出管路３１内に噴射され、上記噴射ボタン２９の噴射ノズル２９ｃを通じて噴射された毛髪用液状化粧料組成物とともに頭部に噴射される。
【００６９】
塗布された擬似増毛材は、上記の静電気の帯電による付着力に加えて、上記毛髪用液状化粧料組成物による付着力によって、確実に地毛又は頭皮へ付着される。
【００７０】
このように、本実施例に係る吹付け装置２０’は、スプレー容器２６’内にスプレー容器２６”を配置し、噴射ボタン２９を押し下げるだけで、毛髪用液状化粧料組成物の塗布と擬似増毛材の噴射とを同時に行い得るので、上記第２実施例と同様に、上記第１実施例の吹付け装置１における効果に加えて、装置をコンパクトとすることができ、取り扱いをさらに容易することができる。
【００７１】
本発明に係る擬似増毛材の吹付け装置においては、上記吹付け装置２０’における上記スプレー容器２６’（２６”）に代えて、図１２に示すような形態のスプレー容器２６’（２６”）を採用することができ、斯る擬似増毛材の吹付け装置においても、第４実施例と同様の効果を得ることができる。
【００７２】
また、本発明に係る擬似増毛材の吹付け装置は、スプレー容器２６”内に擬似増毛材を噴射する第１の噴射用ガスを充填し、スプレー容器２６’内に第２の噴射用ガス及び毛髪用液状化粧料組成物をそれぞれ充填及び収納し、更に上記擬似増毛材収納室２５内に収納された上記擬似増毛材を上記第１の噴射用ガスによって噴射させるとともに該第１の噴射用ガスによって噴射された擬似増毛材を上記毛髪用液状化粧料組成物とともに上記第２の噴射用ガスによって噴射するように、上記第４実施例の吹付け装置のスプレー容器２６’におけるノズル部材２６ａ等の噴出機構２６０’（図１１参照）を変更することによって、上記第４実施例と同様に、装置をコンパクトとすることができ、取り扱いを容易することもできる。
【００７３】
本発明の擬似増毛材の吹付け装置は、擬似増毛材を収納する第１の収納室に、上下動自在の底面部を設けることによって、擬似増毛材の残量にかかわらず、第１の収納室内における噴射用ガスの噴射距離を一定とすることができ、擬似増毛材をより安定して噴射することができる。
【００７４】
図１３は、この上下動自在の底面部の一例を備えた有底筒状のケース本体２１’を示したものである。このケース本体２１’は、上記第２、第４実施例の吹付け装置２０、２０’のケース本体２１（図４、図１１参照）において、擬似増毛材収納室に上方に移動自在の底面部２５ａ’を設けたものである。
【００７５】
この底面部２５ａ’は、擬似増毛材収納室２５’の内面に摺接する壁部を有する底板２５ｂ’と、この底板２５ｂ’の下方に配置され底板２５ｂ’の降下を防止する降下防止板２５ｃ’とが連結具２５ｄ’で連結された構成を有しており、降下防止板側２５ｃ’を下方から押し上げることによって、底面部２５ａ’が擬似増毛材収納室２５’内で上方に移動可能に設けられている。
【００７６】
そして、上記第２、第４実施例の吹付け装置２０、２０’において、ケース本体２１に代えて、このケース本体２１’を採用し、擬似増毛材の残量に応じて、底面部２５ａ’を下方から押し上げ、噴出用ガスの擬似増毛材への噴射距離を一定に調節することによって擬似増毛材をより安定して噴射することができるようになしてある。なお、図には示していないが、上記第１、第３実施例におけるケース本体２、４１（収納容器４７）に、この底面部２５ａ’のような上下同自在の底面部を、その底面形状に対応させて設けることによって、これら第１、第３実施例の容器においても、同様の効果を付与することができる。
【００７７】
本発明の擬似増毛材の吹付け装置において、上記擬似増毛材を収納する第１の収納室は、収納された擬似増毛材の残量が確認できるように、その全体若しくは一部を透明又は半透明とすることが好ましい。
【００７８】
本発明において、擬似増毛材を噴射するための噴射用ガス（第１の噴射用ガス）としては、フロン系ガス、代替フロン系ガス、液化石油ガス、ジメチルエーテル等を使用することができる。
上記フロン系ガスとしては、トリクロロモノフルオロメタン、ジクロロジフルオロメタン、ジクロロテトラフルオロエタン、トリクロロトリフルオロエタン等が挙げられる。また、上記代替フロンガスとしては、モノクロロジフルオロメタン、ジフルオロエタン、トリフルオロエタン、テトラフルオロエタン等が挙げられる。さらに、上記液化石油ガスとしては、プロパン、ｎ−ブタン、イソブタン等が挙げられる。これらの噴射用ガスは、単独あるいは二種以上を混合して使用することができるが、使用中の噴射圧力の低下が少なく、通常使用する温度領域において必要十分な噴射圧を呈するジメチルエーテルの単独使用が最も好ましい。
【００７９】
また、本発明において、毛髪用液状化粧料組成物を噴射するための噴射用ガス（第２の噴射用ガス）としては、上記の擬似増毛材の噴射用ガスと同様のガスを使用することができる。
【００８０】
また、本発明において使用し得る上記粉状又は短繊維状の擬似増毛材としては、人毛、羊毛、木綿、絹等の天然繊維又はその再生繊維、ナイロン、ビニロン、ポリエステル等の合成繊維又は炭素繊維であって、人毛色に類似した黒色等の色彩を有するもの又はその色彩を着色が可能なもの等が挙げられる。
【００８１】
上記粉状又は短繊維状の擬似増毛材は、直径（光学顕微鏡観察による平均値）５〜１２０ミクロン、長さ１０〜２０００ミクロンのものが好適に使用される。なお、上記の範囲に長さを整えるには、公知の方法であるギロチンカッターを用いて所定の長さにカットする方法や、粉砕機で粉砕してふるい分けする方法等がある。また、長さは一定にそろえることは必須条件ではなく、上記１０〜２０００ミクロン程度の範囲内であれば分布を有していても差し支えない。
【００８２】
また、上記擬似増毛材は、その分離性を向上させて繊維の飛昇を良好にさせる目的として、当該擬似増毛材の素材に応じて公知の分離促進剤で処理することができる。
上記分離促進剤としては、珪酸ナトリウム、硫酸マグネシウム、塩化ナトリウム、硫酸ナトリウム、塩化マグネシウム等の無機塩類、アニオン活性剤、カチオン活性剤、両性活性剤等の界面活性剤、コロイダルシリカ等の有機珪素化合物、アルミナゾル等が挙げられる。
【００８３】
上記擬似増毛材とともに噴射する毛髪用液状化粧料組成物としては、上記噴射用ガス等を用いて噴射が可能なものであれば特に制限されるものではないが、例えば、セットスプレー用組成物、育毛・養毛剤組成物、整髪料組成物等が挙げられる。
【００８４】
上記セットスプレー用組成物としては、例えば、フィルム形成剤成分として、カチオン性ポリマー、非イオン性ポリマー、アニオン性ポリマー、両性ポリマーを一種または二種以上の混合物を含むものを使用することができる。
【００８５】
上記カチオン性ポリマーとしては、ヒドロキシエチルセルロースヒドロキシプロピルトリメチルアンモニウムクロリドエーテル（ユニオンカーバイト製  商品名「ポリマーＪＲ−４００」）、ビニルピロリドン・Ｎ，Ｎ−ジメチルアミノエチルメタクリル酸共重合体ジエチル硫酸塩（ＩＳＰ製  商品名「ガフカット７３４」）等が挙げられる。
【００８６】
上記非イオン性ポリマーとしては、ポリビニルピロドン（ＢＡＳＦ製  商品名「ルビスコールＫシリーズ」）、ポリビニルピロドン／酢酸ビニル共重合体（ＢＡＳＦ製  商品名「ルビスコールＶＡシリーズ」）等が挙げられる。
【００８７】
上記アニオン性ポリマーとしては、アクリル樹脂アルカノールアミン液（互応化学製  商品名「プラスサイズＬ−５３ＰＢ」）、酢酸ビニル・クロトン酸共重合体（ヘキストジャパン製  商品名「Aristflex A60 」）等が挙げられる。
【００８８】
上記両性ポリマーとしては、Ｎ−メタクリロイルエチルＮ，Ｎ’−ジメチルアンモニウム・α−Ｎ−メチルカルボキシベタイン・メタクリル酸ブチル共重合体（三菱油化製  商品名「ユカフォーマー  ＡＭ−７５」）等が挙げられる。
上記セットスプレー用組成物の具体例としては、例えば、下記の処方例のものが挙げられる。
【００８９】
〔処方例イ（ハードタイプ）〕
アクリル樹脂アルカノールアミン液（３０％）          ５．０  ｗｔ％
ポリオキシエチレンオレイルエーテル                  ０．０２ｗｔ％
香料                                                ０．１７ｗｔ％
エタノール                                        ４９．８１ｗｔ％
ＬＰＧ（噴射用ガス；２．５ｋｇ／ｃｍ2 ）          ４５．００ｗｔ％
【００９０】
〔処方例ロ（ソフトタイプ）〕
ユカフォーマー  ＡＭ−７５（３０％）                ３．０  ｗｔ％
ポリオキシエチレンオレイルエーテル                  ０．０３ｗｔ％
香料                                                ０．１７ｗｔ％
エタノール                                        ５１．８０ｗｔ％
ＬＰＧ（噴射用ガス；２．５ｋｇ／ｃｍ2 ）          ４５．００ｗｔ％
【００９１】
また、上記育毛・養毛剤組成物としては、
ビタミンＥ及びその誘導体、センブリエキス、ニンニクエキス、ニンジンエキス、アロエエキス、ゲンチアナエキス、エンメイソウ、トウキエキス、セファランチン、塩化カプロニウム、ミノキシジル等の末梢血管血流促進剤成分、
トウガラシチンキ、ノニル酸バニルアミド、カンタリスチンキ、ショウキョウチンキ、ハッカ油、ｌ−メントール、カンフル、ニコチン酸エステル等の局所刺激剤成分、
エストロン、エストラジオール、エチニルエストラジオール等の卵胞ホルモン成分、
ヒノキチオール、パントテニルエチルエーテル、プラセンターエキス、ビオチン、ペンタデカン酸グリセリド等の代謝賦活剤成分
ビタミン剤（Ａ，Ｂ2 ，Ｂ6 ，Ｂ12，Ｄなど）、アミノ酸類（システイン、セリン、メチオニン、ロイシン、トリプトファン等）等の栄養剤成分、
グリチルリチン酸及び甘草エキス由来の成分、塩酸ジフェンヒドラミン、シコンエキス等の消炎剤成分、
その他、角質溶解剤成分、抗脂漏剤成分、殺菌剤成分等を含有したものであって、上記噴射用ガス等を用いて噴射可能なものを使用することができる。
上記育毛・養毛剤組成物の具体例としては、例えば、下記処方例のものが挙げられる。
【００９２】
〔処方例ハ〕
グリチルリチン酸ジカリウム                          ０．１  ｗｔ％
酢酸dl−α−トコフェロール                          ０．０５ｗｔ％
センブリエキス                                      １．５  ｗｔ％
ｌ−メントール                                      ０．１  ｗｔ％
ジプロプレングリコール                              １．０  ｗｔ％
香料                                                          適量
エタノール                                        ５０．０  ｗｔ％
精製水                                                        適量
ジメチルエーテル（噴射用ガス）                    １５．０  ｗｔ％
【００９３】
さらに、上記整髪料組成物としては、ヘアリキッド等の低粘性の液体整髪料成分を含むものであって上記噴射用ガス等によって霧状に噴射可能なものを使用することができ、具体的には、例えば、下記処方例のものが挙げられる。
【００９４】
〔処方例ニ〕
ポリオキシプロピレンブチルエーテル（40Ｐ．Ｏ．）  １０．０  ｗｔ％
エタノール                                        ３０．０  ｗｔ％
香料                                                          適量
精製水                                                        適量
ジメチルエーテル（噴射用ガス）                    ４５．０  ｗｔ％
【００９５】
上記処方イ〜ニは、上記第１実施例における装置１を使用する際の処方例であり、擬似増毛材の噴射用ガスと毛髪用液状化粧料組成物とを同一の容器内に充填する例えば上記第２実施例のような場合には、さらに多量の噴射用ガスを配合することが望ましい。
【００９６】
本発明係る擬似増毛材の吹付け装置は、上記実施例に限定されるものではなく、本発明の目的を逸脱しない範囲において、その寸法、形状等を適宜変更することができる。
【００９７】
また、本発明に係る擬似増毛材の吹付け方法は、上記各実施例の吹付け装置による実施に限定されるものではないことはもちろんである。
【００９８】
【発明の効果】
本発明の擬似増毛材の吹付け方法によれば、毛髪用液状化粧料組成物の噴射とともに、粉状又は短繊維状の擬似増毛材の噴射を行うことによって、擬似増毛材の地毛又は頭皮への付着力を向上させることができるとともに、増毛作業も簡単かつ手軽に行なうことができる。
【００９９】
本発明の擬似増毛材の吹付け装置によれば、上記効果を奏する擬似増毛材の吹付け方法を好適に実施することができる。
【図面の簡単な説明】
【図１】本発明に係る擬似増毛材の吹付け装置の第１実施例を示す側断面図である。
【図２】図１のＡ−Ａ断面図である。
【図３】図１のＢ−Ｂ切断端面図である。
【図４】本発明に係る擬似増毛材の吹付け装置の第２実施例を示す図であり、（ａ）は側断面図、（ｂ）は（ａ）のＡ−Ａ断面図である。
【図５】図４（ａ）のＢ−Ｂ切断端面図である。
【図６】同擬似増毛材の吹付け装置の要部拡大側面図である。
【図７】本発明に係る擬似増毛材の吹付け装置の第３実施例を示す図であり（ａ）は平面図、（ｂ）は（ａ）のＡ−Ａ断面図である。
【図８】図７（ａ）のＢ−Ｂ断面図である。
【図９】同擬似増毛材の吹付け装置を示す図であり、（ａ）は平面図、（ｂ）は（ａ）のＡ−Ａ断面図である。
【図１０】同擬似増毛材の吹付け装置を示す図であり、（ａ）は図９（ａ）のＢ−Ｂ断面図、（ｂ）は（ａ）のＡ−Ａ断面図である。
【図１１】本発明に係る擬似増毛材の吹付け装置の第４実施例を示す側断面図である。
【図１２】同実施例における第２の収容室及び第３の収容室の他の態様を示す側断面図である。
【図１３】本発明に係る擬似増毛材の吹付け装置における第１の収納室の底板部の一実施例を示す側断面図である。
【符号の説明】
１、２０、４０、２０’  擬似増毛材の吹付け装置
６、２５、４４  第１の収納室
７、２６、４５  第２の収納室
８、４６  第３の収納室
７０、４５０  第１の噴射機構
８０、４６０  第２の噴射機構
２６０、２６０’  噴射機構
【図１】
0003638334.tif 000002
【図２】
0003638334.tif 000003
【図３】
0003638334.tif 000004
【図４】
0003638334.tif 000005
【図５】
0003638334.tif 000006
【図６】
0003638334.tif 000007
【図７】
0003638334.tif 000008
【図８】
0003638334.tif 000009
【図９】
0003638334.tif 000010
【図１０】
0003638334.tif 000011
【図１２】
0003638334.tif 000012
【図１３】
0003638334.tif 000013
【図１１】
0003638334.tif 000014